(57)【特許請求の範囲】
【請求項１】
流体管の端部内周面に装着されたインコアを撤去するインコア取外し具であって、
前記流体管内に挿入する主軸部と、前記主軸部の一方の端部側に設けられて作業者が握る把持部と、前記主軸部の他方の端部側に設けられ、前記インコアの流体管内の端部に係合する係合部と、前記主軸部の係合部側先端に設けられ、当該主軸部の先端側の重量を増加させる重量部とで構成されるとともに、前記係合部が前記主軸部より放射方向に突出されていることを特徴とするインコア取外し具。
【請求項２】
係合部が、円板状もしくは円柱状である請求項１に記載のインコア取外し具。
【請求項３】
把持部と係合部との間にガード部が設けられている請求項１又は２に記載のインコア取外し具。
【発明の詳細な説明】
【０００１】
【発明の属する技術分野】
本発明は、例えばポリエチレン等の軟質合成樹脂製の水道管、ガス管などの流体管を接合するときに流体管の内周面に挿入されたインコアを、流体管より撤去する際に使用される取外し具に関する。
【０００２】
【従来の技術】
従来、ポリエチレン等の軟質合成樹脂製流体管の接合をメカニカル式管継手で行う際には、流体管の端部に挿入されて変形を防止するインコアが使用されており、この流体管に取り付けられたインコアを撤去する必要が生じた場合には、ドライバー等を流体管内部のインコアの端部に押し当ててこじりだしたり、流体管から出ているインコアの先端をペンチ等で挟み込んで引き出したりしていた。
【０００３】
【発明が解決しようとする課題】
前記ような従来の管継手におけるインコアは、装着した流体管からの抜け出しを防止するために、流体管の内径よりも大きな外径の薄肉円筒形に形成されていたり、外周面に突起が設けられていたりしているので、前記方法ではインコアを撤去するのが難しく、作業時間を多く必要としていた。
【０００４】
本発明が解決しようとする課題は、上記問題を解決するためになされたもので、流体管の端部内周面に装着されたインコアを容易に撤去することができるインコア取外し具を提供する点にある。
【０００５】
【課題を解決するための手段】
上記課題を解決するために、本発明のインコア取外し具は、流体管の端部内周面に装着されたインコアを撤去するインコア取外し具であって、
前記流体管内に挿入する主軸部と、前記主軸部の一方の端部側に設けられて作業者が握る把持部と、前記主軸部の他方の端部側に設けられ、前記インコアの流体管内の端部に係合する係合部と、前記主軸部の係合部側先端に設けられ、当該主軸部の先端側の重量を増加させる重量部とで構成されるとともに、前記係合部が前記主軸部より放射方向に突出されていることを特徴としている。
この特徴により、インコアを撤去する作業者が把持部を握り、主軸部を流体管内部に挿入した後に、インコア取外し具を管軸方向に往復運動させることにより、係合部が流体管内のインコアの端部に衝突し、インコアを外側に押し出すので、インコアの撤去が容易にできる。
また、係合部が主軸部より放射方向に突出して形成されているので、インコアと係合部との当接面を十分に確保できるとともに、インコアと係合部との位置合わせが容易となり作業能率が向上する。
更に、主軸部の係合部側先端に、先端側の重量を増加させる重量部が設置されているので、係合部側が重くなるので係合部をインコアに衝突させたときに慣性力が働き、衝撃がさらに大きくなってインコアの撤去が効率よく行える。
【０００６】
係合部が、円板状もしくは円柱状であるのが好ましい。
このようにすると、インコア取外し具をどのような向きに挿入しても、インコアと係合部との当接面を確保できるとともに、係合部がラウンドしているため、作業中に流体管を傷付けることがない。
【０００８】
把持部と係合部との間にガード部が設けられているのが好ましい。
このようにすると、ガード部の存在により把持部を握った作業者の手が流体管の端部や、インコアの端部に衝突することがないので安全に撤去作業を行うことができる。
【０００９】
【発明の実施の形態】
以下、本発明の実施例を図面に基づいて説明する。
【００１０】
図１ないし図２は、本発明の第１実施例を示すもので、１は本発明のインコア取外し具、２は流体管Ｐ内部に挿入される主軸部、３は作業者がインコア取外し具１を操作するときに握る把持部、４はインコアＱの端部に係合、衝突する係合部を示している。
【００１１】
主軸部２は、流体管Ｐ内部に挿入することのできる外径の棒状材で形成されており、流体管Ｐに装着されたインコアＱの挿入長以上の長さを有しており、軽量化のために中空のものであってもよい。
【００１２】
把持部３は、主軸部２の一方の端部をほぼ直角に折り曲げて、略Ｌ字形に形成され、その長さは人の手の幅以上に設定されている。
【００１３】
係合部４は、主軸部２の外径より大き外径の円盤状に形成されており（図２）、中心部には主軸部２の端部に形成されたねじ部２ａに外嵌するための貫通孔４ａが孔設されている。係合部４の外周の角部は、流体管Ｐの内周面に引っかかることのないように円弧状に加工されている。
【００１４】
ねじ部２ａに外嵌した係合部４は、ナット５、５によって主軸部２に固定されている。係合部４は、ナット５によって主軸部２に着脱自在に取り付けられているので、破損したときなどに容易に取り替えたり修理したりすることができる。
【００１５】
主軸部２の端部に取り付けられたナット５、５は、係合部４の周りの重量を増し、インコアＱを撤去するときに慣性力を高める働きをする。
【００１６】
次に、上記実施例の使用要領について図３で説明する。
【００１７】
ａ  係合部４側より主軸部２を、インコアＱが端部内周面に装着された流体管Ｐの内部に挿入し、係合部４がインコアＱの端部よりさらに奥に達するまで挿入したら、係合部４の外周を流体管Ｐの上部内周面に接触させる。
【００１８】
ｂ  把持部３を握って係合部４の外周を流体管Ｐの内周面に接触させながら、インコア取外し具１を管軸方向にそって勢いよく抜き出す。すると、係合部４がインコアＱの端部に衝突し、その衝撃でインコアＱの上部側が抜け出してインコアＱが傾く。
【００１９】
ｃ  ａと同じように主軸部２を挿入し、係合部４の外周を流体管Ｐの下部内周面に接触させる。
【００２０】
ｄ  ｂと同様にインコア取外し具１を勢いよく抜き出し、係合部４をインコアＱの端部に衝突させる。
【００２１】
ｅ  ａ〜ｄを繰り返すことによってインコアを撤去することができる。
【００２２】
係合部４を衝突させるのは、インコアＱの上下に限られるわけではなく、左右でもよく、また、斜め方向でもよく、インコアＱの抜け出した状況を見ながら対角状に衝突させていくのがよい。
【００２３】
係合部４が、主軸部２より全方向に突出した状態に形成されているので、インコアＱに当接させるために主軸部２と係合部４の位置関係を考慮することなく作業を行うことができるので効率がよくなる。
【００２４】
図４は、本発明の第２実施例を示すもので、重量部６の端面６ａを係合部として作用させ、把持部３の端部よりガード部７が連設されているものである。
【００２５】
主軸部２は、第１実施例と同様に構成され、一方の端部より把持部３が直角に屈折して連設されており、他端部には重量部６が螺合されるねじ部２ａが設けられている。
【００２６】
重量部６は、主軸部２の端部の重量を増すために取り付けられており、先端が丸く加工された円錐形に形成され、底部にあたる端面６ａの外径は主軸部２の外径より大き設けられて、その中心部には主軸部２に形成されたねじ部２ａに螺合する雌ねじ部６ｂが螺設されている。
【００２７】
重量部６は、主軸部２に着脱自在に取り付けられているので、破損したときなどに容易に取り替えたり、修理したりすることができ、また、撤去対象のインコアＱによって重さの違う重量部６に取り替えて作業の効率化を図ることができる。また、把持部３の端部より、重量部６方向に向かった円弧状のガード部７が連設されている。
【００２８】
第２実施例のインコア取外し具１も第１実施例と同様に使用して、インコアＱを撤去する。把持部３の挿入方向前方にガード部７が設けられているので、把持部３を握った作業者の手が、作業中に流体管Ｐの端部や、インコアＱにぶつかることがなくなり、怪我を防止することができる。
【００２９】
図５は、本発明の第３実施例を示すもので、係合部４が主軸部２の端部に固定され、把持部３の端部よりガード部７が連設されているものである。
【００３０】
主軸部２は、第１実施例とほぼ同様に構成され、一方の端部より二股に分かれたガード部７が略Ｙ字型に連設されており、その両端部を連結するように把持部３が設けられている。
【００３１】
他方の端部には、主軸部２の外径より大きな外径に設けられた円盤状の係合部４が、溶接で固定されている。
【００３２】
第３実施例のインコア取外し具１も第１実施例と同様に使用して、インコアＱを撤去する。把持部３の挿入方向前方にガード部７が設けられているので、把持部３を握った作業者の手が、作業中に流体管Ｐの端部や、インコアＱにぶつかることがなくなり、怪我が防止される。
【００３３】
以上、本発明の実施例を図面により説明してきたが、本発明の具体的な構成はこれに限定されるものではない。
【００３４】
例えば、図６（ａ）に示すように把持部３を主軸部２に直行するように略Ｔ字形に設けてもよく、また、図６（ｂ）に示すようにガード部７が主軸部から直接設けてもよい。
【００３５】
【発明の効果】
本発明によれば、インコアを撤去する作業者が把持部を握り、主軸部を流体管内部に挿入した後に、インコア取外し具を管軸方向に往復運動させることにより、係合部が流体管内のインコアの端部に衝突し、インコアを外側に押し出すので、インコアの撤去が容易にできる。
また、係合部が主軸部より放射方向に突出しているので、インコアと係合部との当接面を十分に確保できるとともに、インコアと係合部との位置合わせが容易となり作業能率が向上する。
更に、重量部により係合部側が重くなるので係合部をインコアに衝突させたときに慣性力が働き、衝撃がさらに大きくなりインコアの撤去が効率よく行える。
【００３６】
請求項２の発明によれば、インコア取外し具をどのような向きに挿入しても、インコアと係合部との当接面を確保できるとともに、係合部がラウンドしているため、作業中に流体管を傷付けることがない。
【００３８】
請求項３の発明によれば、ガード部の存在により把持部を握った作業者の手が流体管の端部や、インコアの端部に衝突することがないので安全に撤去作業を行うことができる。
【図面の簡単な説明】
【図１】本発明の第１実施例における部分切欠き平面図である。
【図２】同じく、Ｉ−Ｉ断面図である。
【図３】同じく、使用時の説明図である。
【図４】本発明の第２実施例における部分切欠き平面図である。
【図５】本発明の第３実施例における平面図である。
【図６】他の実施例の部分拡大図である。
【符号の説明】
１        インコア取外し具
２        主軸部
２ａ      ねじ部
３        把持部
４        係合部
４ａ      貫通孔
５        ナット
６        重量部
６ａ      端面
６ｂ      雌ねじ部
７        ガード部
Ｐ        流体管
Ｑ        インコア
【図１】
0004548637.tif 000002
【図２】
0004548637.tif 000003
【図３】
0004548637.tif 000004
【図４】
0004548637.tif 000005
【図５】
0004548637.tif 000006
【図６】
0004548637.tif 000007